(57)【要約】【課題】  コの字形のコイル秤量機にロードセルへの荷重バランスを均等に調整し、コイルを置いたときの載せ台浮き上がりや測定値ずれをなくする。【解決手段】  ２本の脚部とそれらの連結部とからなるコの字形の載せ台を、脚部の先端側で各１基のロードセル、脚部の連結側で各１基のロードセルで支持させる。載せ台の重心がコイルを載せたときと同じになるように、ロードセル受け部よりも脚部の先端側に重りを設ける。そして、重りの種類と数を変えて調節し、その後にコイルを載せて計量するものである。このため、ロードセル受け部よりも脚部の先端側の下面に、ねじ棒とナット部材を介して板状重りを着脱自在に設ける。【選択図】        図１
2010230547.tif 000002
【特許請求の範囲】
【請求項１】
２本の脚部とそれらの連結部とからなるコの字形の載せ台を、
脚部の先端側で各１基のロードセル、脚部の連結側で各１基のロードセルで支持させ、
載せ台の重心がコイルを載せたときと同じになるように、ロードセル受け部よりも脚部の先端側に重りを設け、重りの種類と数を変えて調節し、その後にコイルを載せて計量するコイル秤量方法。
【請求項２】
２本の脚部とそれらの連結部とからなるコの字形の載せ台が
脚部の先端側で各１基のロードセル、脚部の連結側で各１基のロードセルで支持され、
ロードセル受け部よりも脚部の先端側の下面に、ねじ棒とナット部材を介して板状重りが着脱自在に設けられたコイル秤量装置。
【請求項３】
２本の脚部とそれらの連結部とからなるコの字形の載せ台が
脚部の先端側で各１基のロードセル、脚部の連結側で各１基のロードセルで支持され、
ロードセル受け部よりも脚部の先端側の側面に、ねじ棒とナット部材を介して板状重りが着脱自在に設けられたコイル秤量装置。
【請求項４】
２本の脚部とそれらの連結部とからなるコの字形の載せ台が
脚部の先端側で各１基のロードセル、脚部の連結側で各１基のロードセルで支持され、
ロードセル受け部よりも脚部の先端側の内部で下壁上面に、ねじ棒とナット部材を介して板状重りが着脱自在に設けられたコイル秤量装置。
【発明の詳細な説明】
【技術分野】
【０００１】
本発明は、コイル秤量方法および装置に関するものである。
【背景技術】
【０００２】
鋼板をコイル状に巻き取った状態で、コイルカーで運搬して重量を測定するものとして、コの字形の載せ台を持ち、４個のロードセルで荷重を測定するものがあった。
ピットが浅く秤量機の構造が左右対称に作るだけの空間が無い場合、コの字形の載せ台とするのである。なお、参考として挙げる特許文献は、鋼板コイル秤量用運搬台車である。
【先行技術文献】
【特許文献】
【０００３】
【特許文献１】実開平０６−３９６５４号公報
【発明の概要】
【発明が解決しようとする課題】
【０００４】
しかしながら、載せ台が左右対称でないため、コイルを載せる時に載せ台が片方に浮きやすい。載せ台が浮いた後に落下したときに、その衝撃によりロードセルを破壊する。また、コイルを載せた時（測定時）と風袋重量（ゼロ点）とで荷重バランスが異なることにより、ロードセルへの荷重配分が異なることによる誤差が発生する。微妙に精度が異なるため、バランスがずれると総重量がずれてしまう。
【０００５】
本発明は上記課題を解決し、コの字形のコイル秤量機にロードセルへの荷重バランスを均等に調整し、コイルを置いたときの載せ台浮き上がりや測定値ずれをなくするコイル秤量方法および装置を提供することを目的とする。
【課題を解決するための手段】
【０００６】
本発明の第１課題解決手段の方法は、２本の脚部とそれらの連結部とからなるコの字形の載せ台を、脚部の先端側で各１基のロードセル、脚部の連結側で各１基のロードセルで支持させ、載せ台の重心がコイルを載せたときと同じになるように、ロードセル受け部よりも脚部の先端側に重りを設け、重りの種類と数を変えて調節し、その後にコイルを載せて計量するものである。本発明は秤量機を設置する時の調整を容易にし、経年劣化による重心の変化を調整するためのものである。
【０００７】
本発明の第２課題解決手段の装置は、２本の脚部とそれらの連結部とからなるコの字形の載せ台が脚部の先端側で各１基のロードセル、脚部の連結側で各１基のロードセルで支持され、ロードセル受け部よりも脚部の先端側の下面に、ねじ棒とナット部材を介して板状重りが着脱自在に設けられたものである。
【０００８】
本発明の第３課題解決手段の装置は、２本の脚部とそれらの連結部とからなるコの字形の載せ台が脚部の先端側で各１基のロードセル、脚部の連結側で各１基のロードセルで支持され、ロードセル受け部よりも脚部の先端側の側面に、ねじ棒とナット部材を介して板状重りが着脱自在に設けられたものである。
【０００９】
本発明の第４課題解決手段の装置は、２本の脚部とそれらの連結部とからなるコの字形の載せ台が脚部の先端側で各１基のロードセル、脚部の連結側で各１基のロードセルで支持され、ロードセル受け部よりも脚部の先端側の内部上面に、ねじ棒とナット部材を介して板状重りが着脱自在に設けられたものである。
【発明の効果】
【００１０】
本発明により、コの字形のコイル秤量機にロードセルへの荷重バランスを均等に調整し、コイルを置いたときの載せ台浮き上がりや測定値ずれをなくすることができるようになった。
【図面の簡単な説明】
【００１１】
【図１】本発明装置の一実施例の斜視図である。
【図２】図１のＹ２−Ｙ２拡大部分断面図である。
【図３】重りの平面図である。
【図４】本発明装置の第２実施例のＸ４−Ｘ４拡大部分断面図である。
【図５】本発明装置の第３実施例のＸ５−Ｘ５拡大部分断面図である。
【図６】重りの他の実施例の平面図である。
【図７】本発明方法の一実施例の説明図である。
【図８】本発明方法の一実施例の説明図である。
【図９】本発明方法の一実施例の説明図である。
【発明を実施するための形態】
【００１２】
以下に本発明の一実施例を図面に基づき説明する。
図１，２に示す秤量装置おいて、２本の脚部１ａとそれらの連結部１ｂとからなるコの字形の載せ台１が、脚部１aの先端側で各１基のロードセル２、脚部の連結側で各１基のロードセル２で支持されている。そして、ロードセル受け部よりも脚部１ａの先端側の下面に、ねじ棒４とナット部材５を介して板状重り３が着脱自在に設けられている。
【００１３】
図２，３において、板状重り３の中心に丸孔３ａが開けられ、この重りの複数枚が丸孔を貫通した頭付ボルト４とナット５により取り付けられている。ボルト４は脚部１ａの下壁を融通貫通し、上部でナット５がねじ込まれる。そして、重り３は２本の脚部１ａの中間に対して線対象の状態で設けられる。
【００１４】
以上において、秤量方法を説明する。図７において、載せ台１は連結部を右に配置しているため、風袋では重心Ｇが右に寄っている。次にコイルＣを載せると、重心Ｇは左に寄る（図８）。そこで、風袋での重心がコイルを載せたときの重心と同じになるように、前記の重り３の種類と数を変えて調節するのである（図９）。その後にコイルを載せて計量するものである。
【００１５】
図４に示すものは本発明の第２実施例であり、重りの取り付け位置が異なる。ロードセル受け部よりも脚部１ａの先端側の側面に、ねじ棒４とナット部材５を介して板状重り３が着脱自在に設けられている。この重りの複数枚が丸孔を貫通した頭付ボルト４とナット５により取り付けられている。ボルト４は脚部の側壁を融通貫通し、外部でナット５がねじ込まれる。そして、重り３は２本の脚部の中間に対して線対象の状態で設けられる。この場合、荷重の調節が、いちいちナットを外してボルトを脚部から抜き出す必要がなく行えるので、作業が速く行える。しかも、調節中に重りがボルトで支えられているので、作業が楽である。
【００１６】
図５に示すものは本発明の第３実施例であり、重りの取り付け位置が異なる。ロードセル受け部よりも脚部１ａの先端側の内部で下壁上面に、ねじ棒４とナット５を介して板状重り３が着脱自在に設けられている。この重りの複数枚が丸孔を貫通した頭付ボルト４とナット５により取り付けられている。ボルトは脚部の下壁を融通貫通し、内部でナット５がねじ込まれる。そして、重りは２本の脚部の中間に対して線対象の状態で設けられる。この場合、重りが脚部内部にあるので、外部の自由空間が確保できる。
【００１７】
図６は重りの他の実施例であり、前記丸孔に替えて、中心から周縁に延びる溝３ｂが設けられる。この実施例では、荷重の調節が、いちいちナットを外してボルトを脚部から抜き出す必要がなく行えるので、作業が速く行える。
【００１８】
なお、図２のものにおいて、脚部の外でナットがねじ込まれると、荷重の調節が、いちいちナットを外してボルトを脚部から抜き出す必要がなく行えるので、作業が速く行える。
【００１９】
本発明は前記した実施例や実施態様に限定されず、特許請求の範囲および範囲を逸脱せずに種々の変形を含む。
【産業上の利用可能性】
【００２０】
本発明はコイル秤量方法および装置に利用される。
【符号の説明】
【００２１】
１  載せ台
１ａ  脚部
１ｂ  連結部
２  ロードセル
３  重り
４  ボルト
５  ナット
Ｃ  コイル
【図１】
2010230547.tif 000003
【図２】
2010230547.tif 000004
【図３】
2010230547.tif 000005
【図４】
2010230547.tif 000006
【図５】
2010230547.tif 000007
【図６】
2010230547.tif 000008
【図７】
2010230547.tif 000009
【図８】
2010230547.tif 000010
【図９】
2010230547.tif 000011